(57)【要約】【課題】バックライトの光源として用いている発光ダイオード特性劣化や故障を軽減させる。【解決手段】バックライト装置２０は、複数の発光ダイオード３を有する光源２１と、発光ダイオード３を駆動する駆動制御部３８と、発光ダイオード３の温度を検出する温度センサ４１とを備えている。駆動制御部３８は、発光ダイオード３の最大定格温度以下の温度の第１の上限設定温度と、当該第１の上限設定温度より低い温度の第２の上限設定温度とを設定しておく。駆動制御部３８は、温度センサ４１の検出温度が第１の上限設定温度以上の場合には駆動電流量を減少させ、温度センサ４１の検出温度が第１の上限設定温度より低く第２の上限設定値より高い場合には駆動電流量を現在の値の状態で固定し、現在の駆動電流量が所定の設定値よりも小さい場合であって且つ温度センサ４１の検出温度が第２の上限設定温度以下の場合には駆動電流量を上昇させる。【選択図】図４
2006147373.tif 000002
【特許請求の範囲】
【請求項１】
表示装置の背面側に設けられるバックライト装置において、
複数の発光ダイオードを有する光源と、
上記複数の発光ダイオードを駆動する駆動制御部と、  
上記複数の発光ダイオードの温度を検出する温度センサとを備え、
上記駆動制御部は、
上記発光ダイオードの最大定格温度以下の温度の第１の上限設定温度と、当該第１の上限設定温度より低い温度の第２の上限設定温度とを設定しておき、
上記温度センサの検出温度が上記第１の上限設定温度以上の場合には、上記発光ダイオードに供給する電流量を減少させ、
上記温度センサの検出温度が上記第１の上限設定温度より低く第２の上限設定値より高い場合には、上記発光ダイオードに供給する電流量を現在の値の状態で固定し、
上記発光ダイオードに供給する電流量が所定の設定値よりも小さい場合であって、且つ、上記温度センサの検出温度が上記第２の上限設定温度以下の場合には、上記発光ダイオードに供給する電流量を上昇させること
を特徴とするバックライト装置。
【請求項２】
上記駆動制御部は、上記発光ダイオードをＰＷＭ（Pulse Width Modulation）制御により光量制御を行い、
ＰＷＭ制御のデューティ比を調整することにより、上記発光ダイオードに供給する電流量の調整を行うこと
を特徴とする請求項１記載のバックライト装置。
【請求項３】
表示装置の背面側に設けられるバックライト装置において、
複数の発光ダイオードを有する光源と、
上記複数の発光ダイオードを駆動する駆動制御部と、  
各複数の発光ダイオードを冷却するファンと、  
上記ファンの回転速度を制御するファン制御部と、
上記発光ダイオードの温度を検出する温度センサとを備え、
上記ファン制御部は、
上記発光ダイオードの最大定格温度以下の温度の第１の上限設定温度と、当該第１の上限設定温度より低い温度の第２の上限設定温度とを設定しておき、
上記温度センサの検出温度が上記第１の上限設定温度以上の場合には、上記ファンの回転速度を増加させ、
上記温度センサの検出温度が上記第１の上限設定温度より低く第２の上限設定値より高い場合には、上記ファンの回転速度を現在の値で固定し、
上記ファンの回転速度が所定の設定値よりも早い場合であって、且つ、上記温度センサの検出温度が上記第２の上限設定温度以下の場合には、上記ファンの回転速度を減速させること
を特徴とするバックライト装置。
【発明の詳細な説明】
【技術分野】
【０００１】
本発明は、非発光の透過型の表示部の背面側に設けられるバックライト装置に関するものである。
【背景技術】
【０００２】
液晶表示装置のバックライトは、蛍光管を使ったＣＣＦＬ（Cold Cathode Fluorescent Lamp）タイプが主流であるが、環境的に水銀レスが要求されてきている。このことから、近年、ＣＣＦＬに変わる光源として発光ダイオード（ＬＥＤ）が有望視されている。特に、赤色ＬＥＤ、緑色ＬＥＤ、青色ＬＥＤの各原色を個別に使用し、光学的に合成加法混色して白色を得る方法は、色のバランスがとりやすいため、テレビジョン用途として用いることが盛んに検討されている。
【発明の開示】
【発明が解決しようとする課題】
【０００３】
ところで、バックライトの光源に発光ダイオードを用いた場合、一つのバックライトに対して大量の発光ダイオードが必要となる。そのため、全体として熱が高くなり易く、発光ダイオード一つ一つの特性が劣化したり、最悪の場合故障してしまう可能性も考えられる。
【０００４】
また、発光ダイオードは、温度が高くなると発光効率が悪くなる。また、各色の発光効率の温度特性は異なるので、色度一定化する制御システムを導入しているバックライトでは、設定された所定の消費電力を超えてしまうことがある。例えば、色度一定化する制御システムを導入しているバックライトでは、赤色の発光ダイオードの温度が高くなると、他の色（緑、青）の発光ダイオードよりも発光効率が悪くなるので、ＰＷＭのデューティを高くして電流量を多く流さなければならない。このため、消費電力が増大し、上述の設定された所定の消費電力を超えてしまうおそれがある。
【０００５】
上記の２つの理由により、バックライトの光源に発光ダイオードを用いた場合、温度上昇をさせないような制御システムが必要になる。
【０００６】
本発明は、このような課題を解決するものであり、光源に発光ダイオードを用いた場合であっても、発光ダイオードの一つ一つの特性劣化や故障を軽減し、設定された消費電力内において動作をさせることができるバックライト装置を提供することを目的とする。
【課題を解決するための手段】
【０００７】
本発明に係るバックライト装置は、表示装置の背面側に設けられるバックライト装置において、複数の発光ダイオードを有する光源と、上記複数の発光ダイオードを駆動する駆動制御部と、  上記複数の発光ダイオードの温度を検出する温度センサとを備え、上記駆動制御部は、上記発光ダイオードの最大定格温度以下の温度の第１の上限設定温度と、当該第１の上限設定温度より低い温度の第２の上限設定温度とを設定しておき、上記温度センサの検出温度が上記第１の上限設定温度以上の場合には、上記発光ダイオードに供給する電流量を減少させ、上記温度センサの検出温度が上記第１の上限設定温度より低く第２の上限設定値より高い場合には、上記発光ダイオードに供給する電流量を現在の値の状態で固定し、上記発光ダイオードに供給する電流量が所定の設定値よりも小さい場合であって、且つ、上記温度センサの検出温度が上記第２の上限設定温度以下の場合には、上記発光ダイオードに供給する電流量を上昇させることを特徴とする。
【０００８】
本発明に係るバックライト装置は、表示装置の背面側に設けられるバックライト装置において、複数の発光ダイオードを有する光源と、上記複数の発光ダイオードを駆動する駆動制御部と、  各複数の発光ダイオードを冷却するファンと、  上記ファンの回転速度を制御するファン制御部と、上記発光ダイオードの温度を検出する温度センサとを備え、上記ファン制御部は、上記発光ダイオードの最大定格温度以下の温度の第１の上限設定温度と、当該第１の上限設定温度より低い温度の第２の上限設定温度とを設定しておき、上記温度センサの検出温度が上記第１の上限設定温度以上の場合には、上記ファンの回転速度を増加させ、上記温度センサの検出温度が上記第１の上限設定温度より低く第２の上限設定値より高い場合には、上記ファンの回転速度を現在の値で固定し、上記ファンの回転速度が所定の設定値よりも早い場合であって、且つ、上記温度センサの検出温度が上記第２の上限設定温度以下の場合には、上記ファンの回転速度を減速させることを特徴とする。
【発明の効果】
【０００９】
本発明に係るバックライト装置では、発光ダイオードの最大定格温度以下の温度の第１の上限設定温度と、当該第１の上限設定温度より低い温度の第２の上限設定温度とを設定しておき、温度センサの検出温度と上限設定温度を比較して、発光ダイオードの駆動電流又はファンの回転速度を制御する。
【００１０】
このことにより本発明に係るバックライト装置では、光源に発光ダイオードを用いた場合であっても、発光ダイオードが最大定格以上の温度とならず、発光ダイオードの一つ一つの特性劣化や故障を軽減し、設定された所定の消費電力内での動作を実現させることができる。
【発明を実施するための最良の形態】
【００１１】
以下、本発明の実施の形態について、図面を参照して詳細に説明する。
【００１２】
本発明は、例えば図１に示すような構成のバックライト方式のカラー液晶表示装置１に適用される。
【００１３】
（表示装置の全体構成）
カラー液晶表示装置１は、透過型のカラー液晶表示パネル１０と、このカラー液晶表示パネル１０の背面側に設けられたバックライト装置２０とから構成されている。
【００１４】
（パネル）
透過型のカラー液晶表示パネル１０は、ＴＦＴ基板１１と対向電極基板１２とを互いに対向配置させ、その間隙に例えばツイステッドネマチック（ＴＮ）液晶を封入した液晶層１３を設けた構成となっている。ＴＦＴ基板１１にはマトリクス状に配置された信号線１４と走査線１５及びこれらの交点に配置されたスイッチング素子としての薄膜トランジスタ１６と画素電極１７が形成されている。薄膜トランジスタ１６は走査線１５により順次選択されると共に、信号線１４から供給される映像信号を対応する画素電極１７に書き込む。一方、対向電極基板１２の内表面には対向電極１８及びカラーフィルタ１９が形成されている。
【００１５】
カラー液晶表示装置１では、この様な構成の透過型のカラー液晶表示パネル１０を２枚の偏光板で挟み、バックライト装置２０により背面側から白色光を照射した状態で、アクティブマトリクス方式で駆動することによって、所望のフルカラー 映像表示が得られる。
【００１６】
（バックライト）
バックライト装置２０は、光源２１と波長選択フィルタ２２とを備えている。バックライト装置２０は、光源２１から発光された光を、波長選択フィルタ２２を介してカラー液晶表示パネル１０を背面側から照明する。このようなバックライト装置２０は、透過型のカラー液晶表示パネル１０を背面に配設され、カラー液晶表示パネル１０の背面直下から照明する直下型タイプである。
【００１７】
ここで、バックライト装置２０の光源２１には、多数の発光ダイオード（LED:light Emitting Diode）３が設けられ、この発光ダイオードから出射された光を出力する。光源２１には、赤色の光を発光する多数の発光ダイオード３Ｒと、緑色の光を発光する多数の発光ダイオード３Ｇと、青色の光を発光する多数の発光ダイオード３Ｂが設けられている。光源２１では、赤、青、緑の光を混合して白色光を生成し、この白色光をカラー液晶表示パネル１０に出射している。
【００１８】
バックライト装置２０の光源２１における発光ダイオード３の配置は、例えば、次のようになる。
【００１９】
まず、図２に示すように、赤の発光ダイオード３Ｒ、緑の発光ダイオード３Ｇ及び青の発光ダイオード３Ｂをそれぞれ２個使用し、合計６個の発光ダイオードを一列に配列したものを単位セル（2G 2R 2B）を構成する。続いて、この単位セル（2G 2R 2B）をさらに３つずつ横方向に並べた中単位（6G 6R 6B）を構成する。そして、この中単位（6G 6R 6B）を、図３に示すように水平方向に直列接続し、直列接続したもの画面全体をカバーするように縦方向に並べる。
【００２０】
このように発光ダイオードを配置することにより、赤色、緑色、青色の３色の発光ダイオードが混色され、バランスのよい白色光を発光する。なお、バランスよく混色されれば、図２，図３に示した配置に限らず、どのような配置であってもよい。
【００２１】
（電気制御回路）
また、カラー液晶表示装置１は、例えば図４に電気的なブロック構成を示す電気制御回路３０を備えている。
【００２２】
電気制御回路３０は、カラー液晶表示パネル１０やバックライト装置２０の駆動電源を供給する電源部３１と、カラー液晶表示パネル１０を駆動するＸドライバ回路３２及びＹドライバ回路３３と、外部から映像信号が入力端子３４を介して供給されるＲＧＢプロセス処理部３５と、このＲＧＢプロセス処理部３５に接続された映像メモリ３６及び制御部３７と、バックライト装置２０の駆動制御するバックライト駆動制御部３８とを備えている。
【００２３】
入力端子３４を介して入力された映像信号は、ＲＧＢプロセス処理部３５によりクロマ処理等の信号処理がなされ、さらに、コンポジット信号からカラー液晶表示パネル１０の駆動に適したＲＧＢセパレート信号に変換されて、制御部３７に供給されるとともに、映像メモリ３６を介してＸドライバ回路３２に供給される。また、制御部３７は、上記ＲＧＢセパレート信号に応じた所定のタイミングでＸドライバ回路３２及びＹドライバ回路３３を制御して、上記映像メモリ３６を介してＸドライバ回路３２に供給されるＲＧＢセパレート信号でカラー液晶表示パネル１０を駆動することにより、上記ＲＧＢセパレート信号に応じた映像を表示する。
【００２４】
また、カラー液晶表示装置１には、図４及び図５に示すように、バックライト装置２０の光源２１（発光ダイオード）の温度を検出する温度センサ４１と、バックライト装置２０の光源２１（発光ダイオード）のＲ，Ｇ，Ｂの各色の光量もしくは色度を検出する光量又は色度センサ４２（４２Ｒ，４２Ｇ，４２Ｂ）と、バックライト装置２０の温度を冷却する冷却ファン４３とを備えている。
【００２５】
温度センサ４１の検出値及び光量又は色度センサ４２の検出値は、バックライト駆動制御部３８に供給される。バックライト駆動制御部３８は、これらのセンサの検出値に基づき、光源２１を構成する発光ダイオードの駆動電流の制御を行う。
【００２６】
また、バックライト駆動制御部３８は、温度センサ４１の検出値に応じて冷却ファン４３の回転速度の制御を行い、バックライト２０の光源２１（発光ダイオード）の温度の制御を行う。
【００２７】
（ＬＥＤ駆動回路）
また、バックライト駆動制御部３８内には、バックライト装置２０の光源２１（発光ダイオード）を駆動するＬＥＤ電気制御回路３０が複数個設けられている。
【００２８】
バックライト装置２０の光源となる発光ダイオード３は、図６に示すように、水平方向に並んだ同一色毎の発光ダイオード３が、電気的に直列接続されている。ＬＥＤ駆動回路５０は、水平方向に直列接続した発光ダイオード群３の一つ一つに独立して設けられている。
【００２９】
図７は、バックライト駆動制御部３８内に設けられたＬＥＤ駆動回路５０の回路構成例である。
【００３０】
ＬＥＤ駆動回路５０は、ＤＣ-ＤＣコンバータ５１と、定抵抗（Ｒｃ）５２と、ＦＥＴ５３と、ＰＷＭ制御回路５４と、コンデンサ５５と、サンプルホールド用ＦＥＴ５６と、抵抗５７と、ホールドタイミング回路５８、基準電源５９とを備えている。
【００３１】
ＤＣ-ＤＣコンバータ５１は、図４に示した電源３１から発生された直流電圧ＶＩＮが入力され、入力された直流電力をスイッチングして安定化した直流の出力電圧Ｖｃｃを発生する。ＤＣ-ＤＣコンバータ５１は、フィードバック端子Ｖｆから入力された電圧と出力電圧Ｖｃｃとの電位差が基準電圧値（Ｖｒｅｆ）となるように安定化した出力電圧Ｖｃｃを発生する。なお、基準電圧値（Ｖｒｅｆ）は、基準電源５９から供給される。
【００３２】
直列接続した発光ダイオード群３のアノード側は、定抵抗（Ｒｃ）を介してＤＣ-ＤＣコンバータ５１の出力電圧Ｖｃｃの出力端と接続されている。また、直列接続した発光ダイオード群３のアノード側は、サンプルホールド用ＦＥＴ５６のソース-ドレインを介してＤＣ-ＤＣコンバータ５１のフィードバック端に接続されている。また、直列接続した発光ダイオード群３のカソード側は、ＦＥＴ５３のソース-ドレイン間を介してグランドに接続されている。
【００３３】
ＦＥＴ５３のゲートには、ＰＷＭ制御回路５４から発生されたＰＷＭ信号が入力される。ＦＥＴ５３は、ＰＷＭ信号がオンのときにソース-ドレイン間がオンとなり、ＰＷＭ信号がオフのときにソース-ドレイン間がオフとなる。従って、ＦＥＴ５３は、ＰＷＭ信号がオンのときに発光ダイオード群３に電流を流し、ＰＷＭ信号がオフのときには発光ダイオード群３に流れる電流を０とする。すなわち、ＦＥＴ５３は、ＰＷＭ信号がオンのときに発光ダイオード群３を発光させ、ＰＷＭ信号がオフのときには発光ダイオード群３の発光を停止させる。
【００３４】
ＰＷＭ制御回路５４は、オン時間及びオフ時間のデューティ比が調整される２値信号であるＰＷＭ信号を発生する。ＰＷＭ制御回路５４は、デューティの制御値（ＰＷＭ）が供給され、この制御値（ＰＷＭ）に応じてデューティ比を変更する。
【００３５】
コンデンサ５５は、ＤＣ-ＤＣコンバータ５１の出力端とフィードバック端との間に設けられている。抵抗５７は、ＤＣ-ＤＣコンバータ５１の出力端とサンプルホールド用ＦＥＴ５６のゲートに接続されている。
【００３６】
ホールドタイミング回路５８は、ＰＷＭ信号が入力され、ＰＷＭ信号の立ち上がりエッジで所定時間だけＯＦＦとなり、その他の時間ではＯＮとなるホールド信号を発生する。
【００３７】
サンプルホールド用ＦＥＴ５６のゲートには、ホールドタイミング回路５８から出力されたホールド信号が入力される。サンプルホールド用ＦＥＴ５６は、ホールド信号がオフのときにソースードレイン間がオンとなり、ホールド信号がオンのときのソース-ドレイン間がオフとなる。
【００３８】
以上のようなＬＥＤ駆動回路５０では、ＰＷＭ制御回路５４から発生されたＰＷＭ信号がオンとなる時間のみ発光ダイオード群３に電流ＩＬＥＤが流される。また、コンデンサ５５、サンプルホールド用ＦＥＴ５６及び抵抗５７によりサンプルホールド回路を構成している。このサンプルホールド回路は、発光ダイオード群３のアノード（すなわち、出力電圧Ｖｃｃが接続されていない方の定抵抗５２の一端）の電圧値を、ＰＷＭ信号のオン時にサンプルし、ＤＣ-ＤＣコンバータ５１のフィードバック端に供給している。ＤＣ-ＤＣコンバータ５１は、フォードバック端に入力される電圧値に基づき、出力電圧Ｖｃｃを安定化させるので、定抵抗Ｒｃ５２及び発光ダイオード群３に流れる電流ＩＬＥＤの波高値が一定となる。
【００３９】
従って、ＬＥＤ駆動回路５０では、発光ダイオード群３に流れる電流ＩＬＥＤの波高値が一定とされた状態で、ＰＷＭ信号に応じたパルス駆動される。
【００４０】
なお、発光ダイオード群３に流れる電流量の調整は、本回路では、制御値（ＰＷＭ）を変化させることにより行われる。しかしながら、ＤＣ-ＤＣコンバータ５１に与える基準電圧値（Ｖｒｅｆ）を変化させることにより発光ダイオード群３に流れる電流の波高値を調整してもよいし、又は、これらの組み合わせによって調整してもよい。
【００４１】
（温度制御処理-電流制御）
つぎに、バックライト装置２０の光源として用いられている発光ダイオード３（３Ｒ，３Ｇ，３Ｂ）が、最大定格以上の温度とならないようにするための、発光ダイオード３の電流量を制御することによる温度調整処理について説明をする。
【００４２】
まず、バックライト駆動制御部３８には、第１の上限設定温度（TUlimit）と、第２の上限設定温度（TLlimit）とが設定されている。
【００４３】
第１の上限設定温度（TUlimit）は、バックライト装置２０の光源２１として用いられている発光ダイオード３の最大定格として定められた温度（すなわち、発光ダイオード３をこれ以上の温度で使用してはならないという温度）から、一定のマージン分だけ低い温度である。なお、Ｒ，Ｇ，Ｂの発光ダイオード毎に最大定格が異なっていれば、３種類のうちの最小の値の最大定格に基づき第１の上限設定温度を定める。
【００４４】
第２の上限設定温度（TLlimit）は、第１の上限設定温度（TUlimit）より少し低い温度である。
【００４５】
バックライト駆動制御部３８は、温度センサ４１の検出温度Ｔを常時監視し、以下の（１）、（２）、（３）、（４）の各場合でそれぞれ対応する電流制御処理を行う。
【００４６】
（１）温度センサ４１の検出温度Ｔが第１の上限設定温度（TUlimit）以上の場合
この場合には、バックライト駆動制御部３８は、発光ダイオード３に供給している電流量を、現在の電流量からゆっくりと小さくしていく。バックライト駆動制御部３８は、発光ダイオード３をＰＷＭ駆動している。そのため、バックライト駆動制御部３８は、電流量を小さくするには、ＰＷＭ駆動のデューティ比を、現在のデューティ比からゆっくりと小さくすればよい。
【００４７】
なお、このとき、バックライト駆動制御部３８は、表示上で輝度の変化が目視でわからない程度の充分小さい時間変化量で、発光ダイオード３に流す電流量を少なくしていく。
【００４８】
（２）温度センサ４１の検出温度Ｔが第１の上限設定温度（TUlimit）より低く、且つ、第２の上限設定値（TLlimit）より高い場合
この場合には、バックライト駆動制御部３８は、発光ダイオード３に供給する電流量を、現在の値で固定する。すなわち、本例の場合は、ＰＷＭ駆動のデューティ比をそのまま固定しておく。
【００４９】
（３）温度センサ４１の検出温度Ｔが第２の上限設定値（TLlimit）以下であり、且つ、発光ダイオード３に供給する電流量が所定の設定値よりも小さい場合
この場合には、バックライト駆動制御部３８は、発光ダイオード３に供給している電流量を、現在の電流量からゆっくりと大きくしていく。本例の場合は、バックライト駆動制御部３８は、ＰＷＭ駆動のデューティ比を、現在のデューティ比からゆっくりと大きくしていく。
【００５０】
なお、このとき、バックライト駆動制御部３８は、表示上で輝度の変化が目視でわからない程度に充分小さい時間変化量で、電流量を大きくしていく。
【００５１】
（４）温度センサ４１の検出温度Ｔが第２の上限設定値（TLlimit）以下であり、且つ、発光ダイオード３に供給する電流量が所定の設定値である場合
この場合には、バックライト駆動制御部３８は、発光ダイオード３に供給する電流量を、現在の値で固定する。すなわち、本例の場合は、ＰＷＭ駆動のデューティ比をそのまま固定しておく。
【００５２】
次に、具体的な温度制御処理例を図８を参照して説明をする。
【００５３】
なお、図８に示すグラフは、横軸が時間を示し、左の縦軸がＰＭＷ値（電流量）を示している。右の縦軸が温度を示している。また、点線は温度センサ４１の検出温度Ｔであり、実線は発光ダイオード３に供給する電流量を決定する値（本例の場合ＰＷＭ制御のデューティ比PWM）である。
【００５４】
まず、バックライト装置２０が点灯し、温度センサ４１の検出温度Ｔは、上昇していく（時刻Ｔ１１から時刻Ｔ１２まで）。
【００５５】
検出温度Ｔが第１の上限設定温度（TUlimit）以上となると（時刻Ｔ１２）、バックライト駆動制御部３８は、発光ダイオード３に供給する電流量（PWM）を徐々に小さくしていく。ただし、バックライト装置２０の熱容量が大きいため、バックライト駆動制御部３８が電流量（PWM）を小さくしていっても直ぐには、検出温度Ｔは小さくならない。
【００５６】
時刻Ｔ１２からある程度時間が経過し、検出温度Ｔが第１の上限設定温度（TUlimit）より低くなると（時刻Ｔ１３）、バックライト駆動制御部３８は、発光ダイオード３に供給する電流量（PWM）の減少処理を停止し、現在の電流値で固定する。
【００５７】
さらに、温度減少が続き、検出温度Ｔが第２の上限設定温度（TLlimit）以下となると（時刻Ｔ１４）、バックライト駆動制御部３８は、今度は、発光ダイオード３に供給する電流量（PWM）を徐々に大きくしていく。
【００５８】
そして、時刻Ｔ１４からある程度時間が経過し、検出温度Ｔが第２の上限設定温度（TLlimit）より高くなると（時刻Ｔ１５）、バックライト駆動制御部３８は、発光ダイオード３に供給する電流量（PWM）の増加処理を停止し、現在の電流値で固定する。
【００５９】
以上のように発光ダイオード３に供給する電流量（PWM）の制御を行うことによって、温度がある値（第１の上限設定温度（TUlimit）より低く、第２の上限設定温度（TLlimit）以上）に集束することとなる。さらに、このとき、発光ダイオード３に流れる電流値は、設定された電流値以下ではあるがなるべく近い電流値となるので、視覚的にも影響を少なくすることができる。
【００６０】
（温度制御処理-ファン回転制御）
つぎに、バックライト装置２０の光源として用いられている発光ダイオード３が、最大定格以上の温度とならないようにするための、バックライト駆動制御部３８による冷却ファン４３の回転制御を行うことによる温度調整処理について説明をする。
【００６１】
なお、以下説明を行う冷却ファン４３の回転制御は、上述した発光ダイオード３の電流制御と同時に行ってもよいし、発光ダイオード３の電流制御を行わずに発光ダイオード３の電流制御の代わりに行っても良い。
【００６２】
まず、冷却ファン４３には、規定の回転速度Ｓｎが設定されている。冷却ファン４３は、通常時は、この規定の回転速度Ｓｎで回転する。
【００６３】
また、バックライト駆動制御部３８には、第１の上限設定温度（TUlimit）と、第２の上限設定温度（TLlimit）とが設定されている。第１の上限設定温度（TUlimit）及び第２の上限設定温度（TLlimit）は、上述したものと同じである。
【００６４】
バックライト駆動制御部３８は、温度センサ４１の検出温度Ｔを常時監視し、以下の（１１）、（１２）、（１３）、（１４）の各場合でそれぞれ対応する冷却ファン４３の回転速度制御処理を行う。
【００６５】
（１１）温度センサ４１の検出温度Ｔが第１の上限設定温度（TUlimit）以上の場合
この場合には、バックライト駆動制御部３８は、冷却ファン４３の回転速度Ｓを、現在の回転速度Ｓから徐々に速くしていく。
【００６６】
（１２）温度センサ４１の検出温度Ｔが第１の上限設定温度（TUlimit）より低く、且つ、第２の上限設定値（TLlimit）より高い場合
この場合には、バックライト駆動制御部３８は、冷却ファン４３の回転速度Ｓを、現在の値で固定する。
【００６７】
（１３）温度センサ４１の検出温度Ｔが第２の上限設定値（TLlimit）以下であり、且つ、冷却ファン４３の回転速度Ｓが所定の設定値Ｓｎよりも速い場合
この場合には、バックライト駆動制御部３８は、冷却ファン４３の回転速度Ｓを、現在の回転速度から徐々に遅くしていく。
【００６８】
（１４）温度センサ４１の検出温度Ｔが第２の上限設定値（TLlimit）以下であり、且つ、冷却ファン４３の回転速度Ｓが所定の設定値Ｓｎである場合
この場合には、バックライト駆動制御部３８は、冷却ファン４３の回転速度Ｓを、現在の値Ｓｎで固定する。
【００６９】
次に、具体的な回転速度処理例を図９を参照して説明をする。
【００７０】
なお、図９に示すグラフは、横軸が時間を示し、左の縦軸が回転速度Ｓ及び右の縦軸が温度Ｔ値（回転速度）を示している。また、点線は温度センサ４１の検出温度Ｔであり、実線は冷却ファン４３の回転速度Ｓである。
【００７１】
まず、バックライト装置２０が点灯し、温度センサ４１の検出温度Ｔは、上昇していく（時刻Ｔ２１から時刻Ｔ２２まで）。
【００７２】
検出温度Ｔが第１の上限設定温度（TUlimit）以上となると（時刻Ｔ２２）、バックライト駆動制御部３８は、冷却ファン４３の回転速度Ｓを徐々に速くしていく。ただし、バックライト装置２０の熱容量が大きいため、バックライト駆動制御部３８が回転速度Ｓを速くしていっても直ぐには、検出温度Ｔは低くはならない。
【００７３】
時刻Ｔ２２からある程度時間が経過し、検出温度Ｔが第１の上限設定温度（TUlimit）より低くなると（時刻Ｔ２３）、バックライト駆動制御部３８は、冷却ファン４３の回転速度の増加処理を停止し、現在の回転速度で固定する。
【００７４】
さらに、温度減少が続き、検出温度Ｔが第２の上限設定温度（TLlimit）以下となると（時刻Ｔ２４）、バックライト駆動制御部３８は、今度は、冷却ファン４３の回転速度Ｓを徐々に遅くしていく。
【００７５】
そして、時刻Ｔ２４からある程度時間が経過し、検出温度Ｔが第２の上限設定温度（TLlimit）より高くなると（時刻Ｔ２５）、バックライト駆動制御部３８は、冷却ファン４３の回転速度Ｓの減少処理を停止し、現在の回転速度で固定する。
【００７６】
以上のように冷却ファン４３の回転速度Ｓの制御を行うことによって、温度がある値（第１の上限設定温度（TUlimit）より低く、第２の上限設定温度（TLlimit）以上）に集束することとなる。さらに、このとき、冷却ファン４３の回転速度は、設定された回転速度以上ではあるがなるべく近い回転速度となるので、消費電力も少なくなる。
【００７７】
以上のように本発明が適用されたバックライト装置２０では、発光ダイオード３の最大定格温度以下の温度の第１の上限設定温度と、当該第１の上限設定温度より低い温度の第２の上限設定温度とを設定しておき、温度センサ４１の検出温度とこれら上限設定温度を比較して、発光ダイオード３の駆動電流又は冷却ファン４３の回転速度を制御する。
【００７８】
このことによりバックライト装置２０では、発光ダイオード３を光源に用いた場合であっても、発光ダイオード３が最大定格以上の温度とならず、発光ダイオード３の一つ一つの特性劣化や故障を軽減、低消費電力化を実現させることができる。
【図面の簡単な説明】
【００７９】
【図１】本発明を適用したバックライト方式のカラー液晶表示装置の構成を示す模式的な斜視図である。
【図２】赤の発光ダイオード、緑の発光ダイオード及び青の発光ダイオードをそれぞれ２個使用し、合計６個の発光ダイオードを一列に配列した単位セルを各色の発光ダイオードの個数でパターン表記して模式的に示した図である。
【図３】バックライト装置の光源２１における実際の発光ダイオードの接続例を模式的に示した図である。
【図４】カラー液晶表示装置の駆動回路の構成を示すブロック図である。
【図５】バックライト装置と、当該バックライト装置に取り付けられたセンサ及び冷却ファンを示す図である。
【図６】水平方向に直列接続された発光ダイオード群と、各発光ダイオード群を駆動する複数のＬＥＤ駆動回路を示す図である。
【図７】ＬＥＤ駆動回路のブロック構成図である。
【図８】発光ダイオードが最大定格以上の温度とならないようにするための、発光ダイオードの電流量の制御動作を示した図である。
【図９】発光ダイオードが最大定格以上の温度とならないようにするための、冷却ファンの回転速度の制御動作を示した図である。
【符号の説明】
【００８０】
１０  カラー液晶パネル、２０  バックライト装置、２１  光源、３０  電気制御回路、３８  バックライト駆動制御部、４１  温度センサ、４３  冷却ファン
【図１】
2006147373.tif 000003
【図２】
2006147373.tif 000004
【図３】
2006147373.tif 000005
【図４】
2006147373.tif 000006
【図５】
2006147373.tif 000007
【図６】
2006147373.tif 000008
【図７】
2006147373.tif 000009
【図８】
2006147373.tif 000010
【図９】
2006147373.tif 000011